(57)【要約】【課題】サーボ層と記録再生層を備える光記録媒体において、効率的な記録再生を実現する。【解決手段】光記録媒体１０において、トラッキング制御用の凹凸が第１スパイラル方向に形成される第１サーボ層１８と、トラッキング制御用の凹凸が第１スパイラルと反対方向の第２スパイラル方向に形成される第２サーボ層１９と、トラッキング制御用の凹凸を有しない平面構造で構成されて、これらの第１又は第２サーボ層１８、１９を利用してトラッキング制御を行いながら情報が記録される複数の記録再生層１４を備えるようにした。【選択図】図３
2011192377.tif 000002
【特許請求の範囲】
【請求項１】
トラッキング制御用の凹凸が第１スパイラル方向に形成される第１サーボ層と、
トラッキング制御用の凹凸が前記第１スパイラルと反対方向の第２スパイラル方向に形成される第２サーボ層と、
トラッキング制御用の凹凸を有しない平面構造で構成され、前記第１サーボ層又は前記第２サーボ層を利用してトラッキング制御を行いながら情報が記録される複数の記録再生層と、
を備えることを特徴とする光記録媒体。
【請求項２】
前記記録再生層が３層以上となることを特徴とする請求項１に記載の光記録媒体。
【請求項３】
前記第１及び第２サーボ層が、前記記録再生層と比較して、光入射面から近い位置に積層されていることを特徴とする請求項１又は２に記載の光記録媒体。
【請求項４】
前記第１及び第２サーボ層が、長い波長光を反射し且つ短い波長光を透過する特性を有することを特徴とする請求項３に記載の光記録媒体。
【請求項５】
前記第１及び第２サーボ層が、前記記録再生層と比較して、光入射面から遠い位置に積層されていることを特徴とする請求項１又は２に記載の光記録媒体。
【請求項６】
前記記録再生層が、短い波長光を反射し且つ長い波長光を透過する特性を有することを特徴とする請求項５に記載の光記録媒体。
【請求項７】
３層以上となる前記記録再生層の層間距離として、第１距離と、該第１距離と異なる第２距離とが交互に設定されることを特徴とする請求項１乃至６のいずれかに記載の光記録媒体。
【請求項８】
前記第１又は第２サーボ層のトラックピッチが、前記記録再生層に記録予定のトラックピッチの２倍に設定されていることを特徴とする請求項１乃至７のいずれかに記載の光記録媒体。
【請求項９】
３層以上となる前記記録再生層間において、隣接する前記記録再生層の一方は前記第１サーボ層のトラッキング制御によって第１スパイラル方向に情報が記録され、他方は前記第２サーボ層のトラッキング制御によって第２スパイラル方向に情報が記録されることを特徴とする請求項１乃至８のいずれかに記載の光記録媒体。
【請求項１０】
トラッキング制御用の凹凸が第１スパイラル方向に形成される第１サーボ層と、
トラッキング制御用の凹凸が前記第１スパイラルと反対方向の第２スパイラル方向に形成される第２サーボ層と、
トラッキング制御用の凹凸を有しない平面構造で構成される複数の記録再生層とを備える光記録媒体に対する光記録再生方法であって、
前記第１又は第２サーボ層のいずれかにトラッキング用のビームを照射することによりトラッキング制御を行いながら、前記記録再生層に記録用のビームを照射して情報を記録することを特徴とする光記録再生方法。
【請求項１１】
隣接する前記記録再生層において、一方は前記第１サーボ層を利用して第１スパイラル方向にトラッキング制御を行いながら情報を記録し、他方は第２サーボ層を利用して第２スパイラル方向にトラッキング制御を行いながら情報を記録することを特徴とする請求項１０に記載の光記録再生方法。
【発明の詳細な説明】
【技術分野】
【０００１】
本発明は、複数の記録再生層を有する光記録媒体、及びこの光記録媒体に情報を記録する光記録再生方法に関する。
【背景技術】
【０００２】
従来、ディジタル動画コンテンツの視聴や、ディジタルデータの記録のために、ＣＤ−ＤＡ、ＣＤ−ＲＯＭ、ＣＤ−Ｒ、ＣＤ−ＲＷ、ＤＶＤ−ＲＯＭ、ＤＶＤ−Ｒ、ＤＶＤ＋／−ＲＷ、ＤＶＤ−ＲＡＭ、Ｂｌｕ−ｒａｙ  Ｄｉｓｃ（ＢＤ）などの光記録媒体が広く利用されている。この中でも、次世代型ＤＶＤ規格の一つとされるＢＤは、記録再生に用いるレーザー光の波長を４０５ｎｍと短くし、対物レンズの開口数を０．８５に設定される。ＢＤ規格に対応した光記録媒体側は、０．３２μｍのピッチでトラックが形成される。このようにすることで、光記録媒体の１つの記録再生層に対して２５ＧＢ以上の記録再生を可能にしている。
【０００３】
ところで、動画やデータの容量は今後益々増大することが予想される。従って、光記録媒体における記録再生層を多層化することで光記録媒体の容量を増大させる方法が検討されている。ＢＤ規格の光記録媒体では、６層〜８層の記録再生層を設けることで、２００ＧＢもの超大容量を実現する技術も報告されている（非特許文献１、２参照）。
【０００４】
一方、光記録媒体において記録再生層を多層化する場合、各記録再生層に対してグルーブ／ランド等のトラッキング制御用の凹凸を形成しており、各層を設けるごとにこの凸凹を形成するための母型となるスタンパを使用する必要がある。従って、多層化すればするほど、このスタンパを使う回数が増え製造コストが増大することが懸念される。
【０００５】
そこで近年、光記録媒体においてサーボ層と記録再生層を別々に設けるようにし、サーボ専用レーザー光を用いてサーボ層からトラッキング信号を得ながら、記録用レーザー光によって記録再生層に情報を記録する技術が提案されている（特許文献１、２、３参照）。この技術によれば、各記録再生層には、トラッキング情報を持たせるため凹凸（溝）が不要となり、製造時にも記録再生層用のスタンパを使用する必要が無くなるので、大幅なコストダウンが可能となる。また、複数のサーボ層を利用することで、収差補正を行いやすくしたり、２層同時読み取りを行ったりすることも提案されている。
【先行技術文献】
【特許文献】
【０００６】
【特許文献１】特開２００８−９７６９３号公報
【特許文献２】特開２００８−９７６９４号公報
【特許文献３】特開２００８−１０８３８３号公報
【非特許文献】
【０００７】
【非特許文献１】I. Ichimura et. al., Appl. Opt, 45, 1974-1803 (2006)
【非特許文献２】K. Mishima et. al., Proc. of SPIE, 6282, 62820I (2006)
【発明の概要】
【発明が解決しようとする課題】
【０００８】
しかし、特許文献１、２に記載される光記録媒体は、球面収差の補正量を抑制できることから記録再生精度を高めることが可能であるが、一方で、情報の記録再生を効率的に行うことが難しいという問題があった。具体的には、記録再生層の積層順に情報を記録していく場合、直前の記録再生層から次の記録再生層に移行する際にシーク時間が長くなるという問題があった。また、二つのサーボ層を交互に利用しようとすると、サーボ層と記録再生層間でビームをフォーカス方向に大きく移動させなければならず、移動時間や調整時間が長くなるという問題があった。更に、サーボ層と記録再生層に対して、同波長のビームを用いると、サーボ層側の反射光が記録再生層の記録再生に悪影響を及ぼしたり、記録再生層側の反射光がサーボ層側のトラッキング制御に悪影響を及ぼしたりしやすく、素材や構造設計によって相互干渉を低減しなければならないという問題があった。
【０００９】
なお、この種の光記録媒体に対して情報の記録・再生を行う光ピックアップ側では、光記録媒体における厚さ方向のどこに記録再生層が存在するのか分からない。従って、記録再生層の積層数が異なる様々な光記録媒体が挿入されると、記録用レーザー光の焦点をフォーカス方向に移動させて、各記録再生層の位置を読み取る必要があるので、記録・再生の準備に時間がかかるという問題があった。
【００１０】
本発明は上記問題点に鑑みてなされたものであり、サーボ層と記録再生層を別々に備える光記録媒体において、記録再生効率を高めることを可能とする技術を提供することを目的としている。
【課題を解決するための手段】
【００１１】
本発明者らの鋭意研究により、上記目的は以下の手段によって達成される。
【００１２】
上記目的を達成する本発明は、トラッキング制御用の凹凸が第１スパイラル方向に形成される第１サーボ層と、トラッキング制御用の凹凸が前記第１スパイラルと反対方向の第２スパイラル方向に形成される第２サーボ層と、トラッキング制御用の凹凸を有しない平面構造で構成され、前記第１サーボ層又は前記第２サーボ層を利用してトラッキング制御を行いながら情報が記録される複数の記録再生層と、を備えることを特徴とする光記録媒体である。
【００１３】
上記目的を達成する光記録媒体は、上記手段において、前記記録再生層が３層以上となることを特徴とする。
【００１４】
上記目的を達成する光記録媒体は、上記手段において、記第１及び第２サーボ層が、前記記録再生層と比較して、光入射面から近い位置に積層されていることを特徴とする。
【００１５】
上記目的を達成する光記録媒体は、上記手段において、前記第１及び第２サーボ層が、長い波長光を反射し且つ短い波長光を透過する特性を有することを特徴とする。
【００１６】
上記目的を達成する光記録媒体は、上記手段において、前記第１及び第２サーボ層が、前記記録再生層と比較して、光入射面から遠い位置に積層されていることを特徴とする。
【００１７】
上記目的を達成する光記録媒体は、上記手段において、前記記録再生層が、短い波長光を反射し且つ長い波長光を透過する特性を有することを特徴とする。
【００１８】
上記目的を達成する光記録媒体は、上記手段において、３層以上となる前記記録再生層の層間距離として、第１距離と、該第１距離と異なる第２距離とが交互に設定されることを特徴とする。
【００１９】
上記目的を達成する光記録媒体は、上記手段において、前記第１又は第２サーボ層のトラックピッチが、前記記録再生層に記録予定のトラックピッチの２倍に設定されていることを特徴とする。
【００２０】
上記目的を達成する光記録媒体は、上記手段において、３層以上となる前記記録再生層間において、隣接する前記記録再生層の一方は前記第１サーボ層のトラッキング制御によって第１スパイラル方向に情報が記録され、他方は前記第２サーボ層のトラッキング制御によって第２スパイラル方向に情報が記録されることを特徴とする。
【００２１】
上記目的を達成する本発明は、トラッキング制御用の凹凸が第１スパイラル方向に形成される第１サーボ層と、トラッキング制御用の凹凸が前記第１スパイラルと反対方向の第２スパイラル方向に形成される第２サーボ層と、トラッキング制御用の凹凸を有しない平面構造で構成される複数の記録再生層とを備える光記録媒体に対する光記録再生方法であって、前記第１又は第２サーボ層のいずれかにトラッキング用のビームを照射することによりトラッキング制御を行いながら、前記記録再生層に記録用のビームを照射して情報を記録することを特徴とする光記録再生方法である。
【００２２】
上記目的を達成する光記録再生方法は、上記手段において、隣接する前記記録再生層において、一方は前記第１サーボ層を利用して第１スパイラル方向にトラッキング制御を行いながら情報を記録し、他方は第２サーボ層を利用して第２スパイラル方向にトラッキング制御を行いながら情報を記録することを特徴とする。
【発明の効果】
【００２３】
本発明によれば、スパイラル方向の異なる２つのサーボ層を利用することで、光記録媒体に対して効率的な記録再生を実現できるという優れた効果を奏し得る。
【図面の簡単な説明】
【００２４】
【図１】本実施形態に係る光記録媒体の記録再生を行う光ピックアップの構造を示すブロック図である。
【図２】同光記録媒体の積層構造を示す断面図である。
【図３】同光記録媒体の積層構造を示す斜視図である。
【図４】同光記録媒体の積層構造の他の例を示す断面図である。
【図５】同光記録媒体の積層構造の他の例を示す断面図である。
【発明を実施するための形態】
【００２５】
以下、本発明の実施の形態を添付図面を参照して説明する。
【００２６】
図１には、本実施形態に係る第１光記録媒体１０と、この第１光記録媒体１０の記録再生に用いられる光ピックアップ９０の構成が示されている。光ピックアップ９０は、第１光学系１００と第２光学系２００を備える。第１光学系１００は、第１光記録媒体１０の記録再生層群１４に対して記録・再生を行う光学系となる。第２光学系２００は、第１光学系１００を利用して記録再生層群１４に情報を記録する時に、後述する第１サーボ層１８又は第２サーボ層１９を利用してトラッキング制御を行う光学系となる。
【００２７】
第１光学系１００の光源１０１から出射された比較的短い青色波長３８０〜４５０ｎｍ（ここでは４０５ｎｍ）となる発散性のビーム１７０は、球面収差補正手段１９３を備えたコリメートレンズ１５３を透過し、第２光学系２００の波長選択フィルタ２６０を透過して偏光ビームスプリッタ１５２に入射する。偏光ビームスプリッタ１５２に入射したビーム１７０は、偏光ビームスプリッタ１５２を透過して、更に４分の１波長板１５４の透過によって円偏光に変換された後、対物レンズ１５６で収束ビームに変換される。このビーム１７０は、第１光記録媒体１０の内部に形成された複数の記録再生層群１４のいずれか記録再生層の上に集光される。
【００２８】
対物レンズ１５６の開口はアパーチャ１５５で制限され、開口数ＮＡを０．７０〜０．９０（ここでは０．８５）としている。例えば記録再生層群１４で反射されたビーム１７０は、対物レンズ１５６、４分の１波長板１５４を透過して往路とは９０度異なる直線偏光に変換された後、偏光ビームスプリッタ１５２で反射される。なお、この偏光ビームスプリッタ１５２は波長選択特性を有しており、第１光学系１００の光源１０１からのビーム１７０は反射可能であるが、後述する第２光学系２００の比較的長い赤色波長のビーム２７０は常に透過するようになっている。
【００２９】
偏光ビームスプリッタ１５２で反射されたビーム１７０は、集光レンズ１５９を透過して収束光に変換され、シリンドリカルレンズ１５７を経て、光検出器１３２に入射する。ビーム１７０には、シリンドリカルレンズ１５７を透過する際、非点収差が付与される。
【００３０】
光検出器１３２は、図示しない４つの受光部を有し、それぞれ受光した光量に応じた電流信号を出力する。これら電流信号から、非点収差法によるフォーカス誤差（以下ＦＥとする）信号、再生時に限定されるプッシュプル法によるトラッキング誤差（以下ＴＥとする）信号、第１光記録媒体１０に記録された情報の再生信号等が生成される。ＦＥ信号およびＴＥ信号は、所望のレベルに増幅および位相補償が行われた後、アクチュエータ１９１および１９２にフィードバック供給されて、フォーカス制御およびトラッキング制御がなされる。なお、第１光学系１００によるトラッキング制御は再生時のみ利用される。
【００３１】
第２光学系２００の光源２０１から出射された波長６３０〜６８０ｎｍ（ここでは６５０ｎｍ）となる発散性のビーム２７０は、球面収差補正手段２９３を備えたコリメートレンズ２５３を透過し、偏光ビームスプリッタ２５２に入射する。偏光ビームスプリッタ２５２に入射したビーム２７０は、偏光ビームスプリッタ２５２を透過して、更に第２光学系用の４分の１波長板２５４を透過して円偏光に変換された後、波長選択フィルタ２６０で反射されて、第１光学系１００と共有される偏光ビームスプリッタ１５２を透過する。このビーム２７０は更に対物レンズ１５６で収束ビームに変換されて、第１光記録媒体１０の内部に形成された第１サーボ層１８又は第２サーボ層１９に集光される。第１サーボ層１８又は第２サーボ層１９で反射されたビーム２７０は、対物レンズ１５６、及び偏光ビームスプリッタ１５２を透過して第２光学系２００の波長選択フィルタ２６０で反射し、４分の１波長板２５４において往路とは９０度異なる直線偏光に変換された後、偏光ビームスプリッタ２５２で反射される。偏光ビームスプリッタ２５２で反射されたビーム２７０は、集光レンズ２５９を透過して収束光に変換され、シリンドリカルレンズ２５７を経て、光検出器２３２に入射する。ビーム２７０には、シリンドリカルレンズ２５７を透過する際、非点収差が付与される。
【００３２】
光検出器２３２は、図示しない４つの受光部を有し、それぞれ受光した光量に応じた電流信号を出力する。これら電流信号から、非点収差法によるフォーカス誤差（ＦＥ）信号、プッシュプル法によるトラッキング誤差（ＴＥ）信号が生成される。なお、サーボ層１８にも情報が記録されている場合は再生信号も生成される。
【００３３】
第１光学系１００による記録再生層群１４への情報の記録時は、第２光学系２００のＴＥ信号について、所望のレベルに増幅および位相補償が行われた後、アクチュエータ１９１および１９２にフィードバック供給されてトラッキング制御がなされる。この結果、第２光学系２００のトラッキング制御に基づいて、第１光学系１００が記録再生層群１４に情報を記録するようになっている。なお、本実施形態では、記録再生層群１４に記録済みの情報を再生する際は、記録再生層群１４上の記録マークを利用して第１光学系１００が独自にトラッキング制御するようにしている。一方、第２光学系２００のトラッキング制御を利用しながら再生することも勿論可能である。
【００３４】
図２及び図３には、３種類の本実施形態に係る第１〜第３光記録媒体１０、２０、３０の断面構造が拡大して示されている。なお、ここでは第１光記録媒体１０を詳細に説明することにし、第２、第３光記録媒体２０、３０は第１光記録媒体１０と異なる点を重点的に説明する。なお、第１〜第３光記録媒体１０、２０、３０の間で相関する部材については符号の下一桁を共通させている。
【００３５】
第１光記録媒体１０は、外径が約１２０ｍｍ、厚みが約１．２ｍｍの円盤形状となっている。この光記録媒体１０は、光入射面１０Ａ側から、カバー層１１、記録再生層群１４及び中間層群１６、第１スペーサ層１７Ａ、第１サーボ層１８、第２スペーサ層１７Ｂ、第２サーボ層１９、支持基板１２を備えて構成される。
【００３６】
記録再生層群１４は、ここでは第１〜第６記録再生層１４Ａ〜１４Ｆを備えて構成されており、それぞれに情報を記録できる構造となっている。この第１〜第６記録再生層１４Ａ〜１４Ｆは、トラッキング制御用の凹凸を有しない平面構造となっており、第１光学系１００から高エネルギーとなる記録用のビーム１７０が照射されると、記録マークが形成される。なお、この記録再生層群１４の種類として、情報の追記が出来るが書き換えが出来ない追記型記録再生層と、情報の書換が可能な書換型記録再生層がある。
【００３７】
支持基板１２は、光記録媒体に求められる厚み（約１．２ｍｍ）を確保するための、厚さ１．０ｍｍで直径１２０ｍｍとなる円盤形状の基板であり、この支持基板１２の光入射面１０Ａ側の面に第２サーボ層１９が形成される。具体的には、支持基板１２における光入射面１０Ａ側に、その中心部近傍から外縁部に向けて第２スパイラル方向（図３の時計回り方向）となるグルーブおよびランドが螺旋状に形成される。このグルーブおよびランドが、トラッキング制御用の凹凸（溝）となり、第２光学系２００のビーム２７０がガイドされるようになっている。
【００３８】
なお、支持基板１２の材料としては種々の材料を用いることが可能であり、例えば、ガラス、セラミックス、樹脂を利用できる。これらのうち成型の容易性の観点から樹脂が好ましい。樹脂としてはポリカーボネイト樹脂、オレフィン樹脂、アクリル樹脂、エポキシ樹脂、ポリスチレン樹脂、ポリエチレン樹脂、ポリプロピレン樹脂、シリコーン樹脂、フッ素系樹脂、ＡＢＳ樹脂、ウレタン樹脂等が挙げられる。これらの中でも、加工性などの点からポリカーボネイト樹脂やオレフィン樹脂が特に好ましい。なお、支持基板１２は、ビーム２７０の光路とならないことから、高い光透過性を有している必要はない。
【００３９】
支持基板１２の上に形成される第２サーボ層１９は、支持基板１２の表面に反射性の層を形成することによって構成される。従って、この第２サーボ層１９は、第２スパイラル方向（図３では時計回り方向）となるトラッキング制御用の凹凸（グルーブおよびランド）１９Ａと、反射性の層を備えた状態となる（図３参照）。この第２サーボ層１９は、Ａｇ等の金属層を形成して光反射膜として機能させれば良い。また、必要に応じて記録が可能な反射性の記録層を設けても良い。。
【００４０】
第２サーボ層１９の上には第２スペーサ層１７Ｂが形成される。この第２スペーサ層１７Ｂは、光透過性のアクリル系の紫外線硬化型樹脂により構成されており、ここでは４５μｍの膜厚に設定されている。第２スペーサ層１７Ｂの光入射面１０Ａ側の面には、その中心部近傍から外縁部に向けて、第１スパイラル方向（図３の反時計回り方向）のグルーブおよびランドが螺旋状に形成される。このグルーブおよびランドが、第１サーボ層１８用のトラッキング制御用の凹凸（溝）となり、第２光学系２００のビーム２７０がガイドされるようになっている。
【００４１】
第１サーボ層１８は、第２スペーサ層１７Ｂの表面に反射性の層をを形成することによって構成される。従って、この第１サーボ層１８は、第１スパイラル方向（図３では反時計回り方向）となるトラッキング制御用の凹凸（グルーブおよびランド）１８Ａと、反射性の層を備えた状態となる。第１サーボ層１８は、Ａｇ等の金属層を形成して光反射膜として機能させれば良い。また、必要に応じて記録が可能な反射性の記録層を設けても良い。第１サーボ層１８の凹凸１８Ａの第１スパイラル方向と、第２サーボ層１９の凹凸１９Ａの第２スパイラル方向は反対になる。
【００４２】
第１及び第２サーボ層１８、１９におけるトラッキング制御用の凹凸１８Ａ、１９ＡのトラックピッチＰは、ここでは、記録再生層１４Ａ〜１４Ｆに記録予定とされる記録マークのトラックピッチの２倍に設定される。具体的に、記録再生層１４Ａ〜１４Ｆに記録予定とされるトラックピッチは、ＢＤ規格との互換性のために０．３２μｍ前後としていることから、第１及び第２サーボ層１８、１９のグルーブ／ランドのトラックピッチＰは０．６４μｍ前後に設定される。０．６４μｍ前後のトラックピッチＰであれば、比較的長い赤色波長領域のビーム２７０であっても十分なトラッキングが可能である。特に本実施形態では、グルーブとランドの双方を利用してトラッキングを行うようにしているので、結果として、凹凸１８Ａ、１９Ａのピッチは０．６４μｍ前後となるが、記録再生層１４Ａ〜１４Ｆに記録される記録マークのトラックピッチは、その半分の０．３２μｍ前後とすることができる。従って、第１及び第２サーボ層１８、１９のトラックピッチを小さくしなくても、記録再生層群１４の記録マークのトラックピッチを半分にできるので、記録容量を増大させることができる。
【００４３】
第１サーボ層１８の上には第１スペーサ層１７Ａが形成される。この第１スペーサ層１７Ａは、光透過性のアクリル系の紫外線硬化型樹脂により構成されており、ここでは４５μｍの膜厚に設定されている。
【００４４】
第１スペーサ層１７Ａの光入射面１０Ａ側に積層される第１〜第６記録再生層１４Ａ〜１４Ｆは、それぞれ、追記型記録膜の両外側に誘電体膜を積層した３層構造となっている（図示省略）。なお、この第１〜第６記録再生層１４Ａ〜１４Ｆは、第１光学系１００における青色波長領域（短い波長）のビーム１７０に対して光反射率・吸収率・透過率等が最適化されており、一方で、第２光学系２００の赤色波長領域（長い波長）のビーム２７０は充分透過するような波長選択特性を有している。具体的に第１〜第６記録再生層１４Ａ〜１４Ｆは、赤色波長領域（長い波長）のビーム２７０によって、第１及び第２サーボ層１８、１９でトラッキングを実現できる程度の透過率が得られるようになっている。一方、具体的に第１〜第６記録再生層１４Ａ〜１４Ｆは、青色波長領域（短い波長）のビーム１７０によって記録・再生を実現できる程度の光反射率・吸収率・透過率が設定されている。
【００４５】
各記録再生層の誘電体膜は、追記型記録膜を保護するという基本機能に加えて、記録マークの形成前後における光学特性の差を拡大させる役割も果たす。
【００４６】
なお、ビーム１７０を照射した場合に、誘電体膜に吸収されるエネルギーが大きいと記録感度が低下しやすい。従って、これを防止するためには、これらの誘電体膜の材料として、３８０ｎｍ〜４５０ｎｍ（特に４０５ｎｍ）の波長領域において低い吸収係数（ｋ）を有する材料を選択することが好ましい。なお、本実施の形態においては、誘電体膜の材料としてＴｉＯ２を用いている。
【００４７】
誘電体膜に挟まれる追記型記録膜は不可逆的な記録マークが形成される膜であり、記録マークが形成された部分とそれ以外の部分（ブランク領域）は、ビーム１７０に対する反射率が大きく異なる。この結果、データの記録・再生を行うことができる。なお、この追記型記録膜についても、トラッキング用の第２光学系２００のビーム２７０の赤色波長領域おいては高い透過性を有する。
【００４８】
追記型記録膜は、Ｂｉ及びＯを含む材料を主成分として形成される。この追記型記録膜は、無機反応膜として機能し、レーザー光の熱による化学的又は物理的な変化で反射率が大きく異なるようになっている。具体的な材料としては、Ｂｉ−Ｏを主成分とするか、又は、Ｂｉ−Ｍ−Ｏ（ただしＭは、Ｍｇ、Ｃａ、Ｙ、Ｄｙ、Ｃｅ、Ｔｂ、Ｔｉ、Ｚｒ、Ｖ、Ｎｂ、Ｔａ、Ｍｏ、Ｗ、Ｍｎ、Ｆｅ、Ｚｎ、Ａｌ、Ｉｎ、Ｓｉ、Ｇｅ、Ｓｎ、Ｓｂ、Ｌｉ、Ｎａ、Ｋ、Ｓｒ、Ｂａ、Ｓｃ、Ｌａ、Ｎｄ、Ｓｍ、Ｇｄ、Ｈｏ、Ｃｒ、Ｃｏ、Ｎｉ、Ｃｕ、Ｇａ、Ｐｂの中から選択される少なくとも１種の元素）を主成分とすることが好ましい。なお、本実施形態では、追記型記録膜の材料として、Ｂｉ−Ｇｅ−Ｏを用いている。
【００４９】
なお、ここでは第１〜第６記録再生層１４Ａ〜１４Ｆにおいて追記型記録膜を採用する場合を示したが、繰り返し記録が可能な相変化記録膜を採用することも可能である。この場合の相変化記録膜は、ＳｂＴｅＧｅを主成分とすることが好ましい。
【００５０】
中間層群１６は、光入射面１０Ａから遠い側から順番に第１〜第５中間層１６Ａ〜１６Ｅを有しており、第１〜第６記録再生層１４Ａ〜１４Ｆの間に積層される。各中間層１６Ａ〜１６Ｅは、アクリル系またはエポキシ系の紫外線硬化型樹脂によって構成される。この中間層１６Ａ〜１６Ｅの膜厚は、第１中間層１６Ａが１６μｍ、第２中間層１６Ｂが１２μｍ、第３中間層１６Ｃが１６μｍ、第４中間層１６Ｄが１２μｍ、第５中間層１６Ｅが１６μｍとなる。つまり、２種類の膜厚（１６μｍ、１２μｍ）の中間層が交互に積層されている。この結果、第１〜第６記録再生層１４Ａ〜１４Ｆの層間距離として、光入射面側から順番に第１距離（１６μｍ）と、この第１距離と異なる第２距離（１２μｍ）が交互に設定されることになる。また、第１距離と第２距離の差は４μｍに設定される。このようにすると、層間クロストークが低減される。
【００５１】
カバー層１１は、中間層群１６と同様に光透過性のアクリル系の紫外線硬化型樹脂により構成されており、３８μｍの膜厚に設定されている。
【００５２】
第１光記録媒体１０は、上記のように構成される結果、第２サーボ層１９は、光入射面１０Ａから０．２ｍｍ（２００μｍ）の距離に位置しており、第１サーボ層１８は光入射面１０Ａから０．１５５ｍｍ（１５５μｍ）の距離に位置している。また、記録再生層群１４の中で光入射面１０Ａから最も遠い第１記録再生層１４Ａは、光入射面１０Ａから０．１１ｍｍ（１１０μｍ）の距離に位置しており、光入射面１０Ａに最も近い第６記録再生層１４Ｆは、光入射面１０Ａから３８μｍの距離に位置することになる。また、記録再生層群１４の全体的な厚み（第１記録再生層１４Ａ〜第６記録再生層１４Ｆ間の距離）は７２μｍとなる。
【００５３】
次に第２光記録媒体２０について説明する。この第２光記録媒体２０は、第１及び第２サーボ層２８、２９が記録再生層群２４よりも光入射面２０Ａ側に配置される。従って、第１スペーサ層２７Ａ及び第２スペーサ層２７Ｂも記録再生層群２４よりも光入射面２０Ａ側に配置されている。また、記録再生層群２４が４層構造（第１〜第４記録再生層２４Ａ〜２４Ｄ）になっており、その間に第１〜第３中間層２６Ａ〜２６Ｃが挿入されている。その他は第１光記録媒体１０と同じ構造となっている。
【００５４】
具体的に、支持基板２２の厚みは１．１ｍｍに設定されており、光入射面２０Ａ側の表面も平坦に構成されている。この表面に対して、平坦な記録再生層群２４及び中間層群２６が交互に積層されている。第１〜第３中間層２６Ａ〜２６Ｃの膜厚は、第１中間層２６Ａが２６μｍ、第２中間層２６Ｂが２０μｍ、第３中間層２６Ｃが２６μｍとなる。この結果、第１〜第３記録再生層２４Ａ〜２４Ｄの層間距離として、光入射面側から順番に第１距離（２６μｍ）と、この第１距離と異なる第２距離（２０μｍ）が交互に設定されることになる。また、第１距離と第２距離の差は６μｍに設定される。
【００５５】
第４記録再生層２４Ｄの光入射面２０Ａ側には、第２スペーサ層２７Ｂが積層される。この第２スペーサ層２７Ｂは、光透過性のアクリル系の紫外線硬化型樹脂により構成されており、ここでは１０μｍの膜厚に設定されている。第２スペーサ層２７Ｂの光入射面２０Ａ側の面には、スタンパによって、その中心部近傍から外縁部に向けて、第２スパイラル方向（図３では時計回り方向）のグルーブおよびランドが螺旋状に形成される。このグルーブおよびランドが、第２サーボ層２９用のトラッキング制御用の凹凸（溝）となり、第２光学系２００のビーム２７０がガイドされるようになっている。
【００５６】
第２サーボ層２９は、第２スペーサ層２７Ｂの表面に光反射性の層を形成することによって構成される。従って、この第２サーボ層２９は、第２スパイラル方向となるトラッキング制御用の凹凸（グルーブおよびランド）２９Ａと、光反射性の層を備えた状態となる（図３参照）。
【００５７】
第２サーボ層２９の上には第１スペーサ層２７Ａが形成される。この第１スペーサ層２７Ａは、ここでは１０μｍの膜厚に設定されている。第１スペーサ層２７Ａの光入射面２０Ａ側の面には、その中心部近傍から外縁部に向けて、第１スパイラル方向（図３では反時計回り方向）のグルーブおよびランドが螺旋状に形成される。このグルーブおよびランドが、第１サーボ層２８用のトラッキング制御用の凹凸（溝）となり、第２光学系２００のビーム２７０がガイドされるようになっている。
【００５８】
第１サーボ層２８は、第１スペーサ層２７Ａの表面に光反射性の層を形成することによって構成される。従って、この第１サーボ層２８は、第１スパイラル方向（図３では反時計回り方向）となるトラッキング制御用の凹凸（グルーブおよびランド）２８Ａと、光反射性の層を備えた状態となる。結果、第１サーボ層２８の凹凸２８Ａの第１スパイラル方向と、第２サーボ層２９の凹凸２９Ａの第２スパイラル方向は反対になる。
【００５９】
第１サーボ層２８の表面には、カバー層２１が１８μｍの膜厚で形成される。
【００６０】
この第２光記録媒体２０は、第１サーボ層２８が光入射面２０Ａから１８μｍの距離に位置し、第２サーボ層２９が２８μｍの距離に位置する。また、記録再生層群２４の中で光入射面２０Ａから最も遠い第１記録再生層２４Ａは、光入射面２０Ａから０．１１ｍｍの距離に位置しており、光入射面２０Ａに最も近い第４記録再生層２４Ｄは、光入射面２０Ａから３８μｍの距離に位置することになる。また、記録再生層群２４の全体的な厚み（第１記録再生層２４Ａ〜第４記録再生層２４Ｄ間の距離）は７２μｍとなる。
【００６１】
なお、この第２光記録媒体２０では、記録再生層群２４及び中間層群２６に対して第２光学系２００のビーム２７０が進入しないので、これらに波長選択特性は不要となる。一方で、第１サーボ層２８及び第２サーボ層２９は、第２光学系２００の長い波長のビーム２７０を効率よく反射するが、第１光学系１００の短い波長のビーム１７０を効率的に透過するような波長選択特性を有するようにすることが好ましい。具体的に第１サーボ層２８及び第２サーボ層２９は、赤色波長領域（長い波長）のビーム２７０によってトラッキングを実現できる程度の反射率が得られるようになっている。一方、青色波長領域（短い波長）のビーム１７０によって記録再生層群２４に記録・再生を実現できる程度の透過率が得られるようになっている。
【００６２】
次に第３光記録媒体３０について説明する。この第３光記録媒体３０は、第２サーボ層３９が、光入射面３０Ａを基準にして記録再生層群３４よりも奥に配置され、第１サーボ層３８が手前側に配置される。従って、第２スペーサ層３７Ｂは記録再生層群３４よりも奥側、第１スペーサ層３７Ａは記録再生層群３４よりも光入射面３０Ａ側に配置される。また、記録再生層群３４が５層構造（第１〜第５記録再生層３４Ａ〜３４Ｅ）になっており、その間に第１〜第４中間層３６Ａ〜３６Ｄが挿入されている。その他は第１光記録媒体１０と同じ構造となっている。
【００６３】
具体的に、支持基板３２は、厚さ１．１５５ｍｍの膜厚の基板であり、その中心部近傍から外縁部に向けて第２スパイラル方向（図３の時計回り方向）となるグルーブおよびランドが螺旋状に形成される。この支持基板３２の光入射面３０Ａ側の面に第２サーボ層３９が形成される。
【００６４】
この第２サーボ層３９は、支持基板１２の表面に光反射性の層を形成することによって構成される。従って、この第２サーボ層３９は、第２スパイラル方向（図３では時計回り方向）となるトラッキング制御用の凹凸（グルーブおよびランド）３９Ａと、光反射性の層を備えた状態となる（図３参照）。
【００６５】
第２サーボ層３９の上には第２スペーサ層３７Ｂが形成される。この第２スペーサ層３７Ｂは、光透過性のアクリル系の紫外線硬化型樹脂により平面状に構成されており、ここでは４５μｍの膜厚に設定されている。第２スペーサ層３７Ｂの光入射面３０Ａ側の面には、記録再生層群３４及び中間層群３６が交互に積層される。
【００６６】
第１〜第４中間層３６Ａ〜３６Ｄの膜厚は、第１中間層３６Ａが２０μｍ、第２中間層３６Ｂが１６μｍ、第３中間層３６Ｃが２０μｍ、第４中間層３６Ｄが１６μｍとなる。この結果、第１〜第５記録再生層３４Ａ〜３４Ｅの層間距離として、光入射面側から順番に第１距離（１６μｍ）と、この第１距離と異なる第２距離（２０μｍ）が交互に設定されることになる。また、第１距離と第２距離の差は４μｍに設定される。
【００６７】
第５記録再生層３４Ｅの光入射面３０Ａ側には、第１スペーサ層３７Ａが積層される。この第１スペーサ層３７Ａは、ここでは１０μｍの膜厚に設定されている。第１スペーサ層３７Ａの光入射面３０Ａ側の面には、スタンパによって、その中心部近傍から外縁部に向けて、第１スパイラル方向（図３では反時計回り方向）のグルーブおよびランドが螺旋状に形成される。このグルーブおよびランドが、第１サーボ層３８用のトラッキング制御用の凹凸（溝）となり、第２光学系２００のビーム２７０がガイドされるようになっている。
【００６８】
第１サーボ層３８は、第１スペーサ層３７Ａの表面に光反射性の層を形成することによって構成される。従って、この第１サーボ層３８は、第１スパイラル方向（図３では反時計回り方向）となるトラッキング制御用の凹凸（グルーブおよびランド）３８Ａと、光反射性の層を備えた状態となる。結果、第１サーボ層３８の凹凸３８Ａの第１スパイラル方向と、第２サーボ層３９の凹凸３９Ａの第２スパイラル方向は反対になる。
【００６９】
第１サーボ層３８の表面には、カバー層３１が２８μｍの膜厚で形成される。
【００７０】
この第３光記録媒体３０は、第２サーボ層３９が光入射面３０Ａから０．１５５ｍｍ（１５５μｍ）の距離に位置しており、第１サーボ層３８が光入射面３０Ａから２８μｍの距離に位置している。また、第１サーボ層３８と第２サーボ層３９の間に記録再生層群３４が配置されている。記録再生層群３４の中で光入射面３０Ａから最も遠い第１記録再生層３４Ａは、光入射面３０Ａから０．１１ｍｍの距離に位置しており、光入射面３０Ａに最も近い第５記録再生層３４Ｅは、光入射面３０Ａから３８μｍの距離に位置することになる。また、記録再生層群３４の全体的な厚み（第１記録再生層３４Ａ〜第５記録再生層３４Ｅ間の距離）は７２μｍとなる。なお、第１サーボ層３８は、第２光学系２００の長い波長のビーム２７０を効率よく反射するが、第１光学系１００の短い波長のビーム１７０を効率的に透過するような波長選択特性を有するようにすることが好ましい。
【００７１】
具体的に第１サーボ層３８は、赤色波長領域（長い波長）のビーム２７０によってトラッキングを実現できる程度の反射率が得られるようになっている。一方、青色波長領域（短い波長）のビーム１７０によって記録再生層群３４に記録・再生を実現できる程度の透過率が得られるようになっている。また、記録再生層群３４は、赤色波長領域（長い波長）のビーム２７０によって、第２サーボ層３９でトラッキングを実現できる程度の透過率が得られるようになっている。一方、記録再生層群３４は、青色波長領域（短い波長）のビーム１７０によって記録・再生を実現できる程度の光反射率・吸収率・透過率が設定されている。
【００７２】
次に、これらの第１〜第３光記録媒体１０、２０、３０の製造方法について説明する。なお、ここでは第１光記録媒体１０の製造方法を説明することで、第２、第３光記録媒体２０、３０の製造方法の説明を省略する。
【００７３】
まず、金属スタンパを用いることによる、ポリカーボネイト樹脂の射出成型法により、グルーブおよびランドが形成された支持基板１２を作製する。なお、支持基板１２の作製は射出成型法に限られず、２Ｐ法や他の方法によって作製しても構わない。
【００７４】
その後、支持基板１２におけるグルーブ及びランドが設けられた側の表面に第２サーボ層１９を形成する。第２サーボ層１９は、Ａｇ合金を用いたスパッタリングによって光反射性の金属層を形成することで行う。更に、第２サーボ層１９の上に第２スペーサ層１７Ｂを形成する。第２スペーサ層１７Ｂは、例えば、粘度調整されたアクリル系またはエポキシ系の紫外線硬化型樹脂をスピンコート法等により皮膜し、更にトラッキング用の凹凸を備えたスタンパを押しつけた状態で紫外線を照射して硬化させる。硬化後、このスタンパを剥離することで第２スペーサ層１７Ｂが完成する。
【００７５】
次に、第１サーボ層１８を形成する。第１サーボ層１８は、Ａｇ合金を用いたスパッタリングによって光反射性の金属層を形成することで行う。更に、第１サーボ層１８の上に第１スペーサ層１７Ａを形成する。第１スペーサ層１７Ａは、例えば、粘度調整されたアクリル系またはエポキシ系の紫外線硬化型樹脂をスピンコート法等により皮膜し、そのまま紫外線を照射して硬化させることで平坦に形成する。
【００７６】
次に、第１記録再生層１４Ａを形成する。具体的には、誘電体膜、追記型記録膜、誘電体膜の順に気相成長法を用いて形成する。中でもスパッタリング法を用いることが好ましい。その後、第１記録再生層１４Ａの上に第１中間層１６Ａを形成する。第１中間層１６Ａは、例えば、粘度調整された紫外線硬化型樹脂をスピンコート法等により皮膜し、その後、この紫外線硬化性樹脂に紫外線を照射して硬化することにより形成する。この手順を繰り返すことで、第２記録再生層１４Ｂ、第２中間層１６Ｂ・・・と順番に積層していく。
【００７７】
第６記録再生層１４Ｆまで完成したら、その上にカバー層１１を形成してこの第１光記録媒体１０が完成する。なおカバー層１１は、例えば、粘度調整されたアクリル系またはエポキシ系の紫外線硬化型樹脂をスピンコート法等により皮膜し、これに対して紫外線を照射して硬化することにより形成する。なお、本実施形態では上記製造方法を説明したが、本発明は上記製造方法に特に限定されるものではなく、他の製造技術を採用することもできる。
【００７８】
次に、光ピックアップ９０を用いて、この第１光記録媒体１０に情報を記録再生する手順について説明する。
【００７９】
この第１光記録媒体１０の第１記録再生層１４Ａに情報を記録する場合、まず、第２光学系２００の赤色波長領域のビーム２７０を第２サーボ層１９に照射して第２スパイラル方向にトラッキングを行う。この作業と同時に、第１光学系１００の青色波長領域の記録用ビーム１７０を第１記録再生層１４Ａに照射する。なお、この第２サーボ層１９には、光記録媒体シリーズに関する基本仕様や、情報記録層群１４の積層枚数に関する情報が、記録ピットやＢＣＡ（バーストカッティングエリア）に予め記録されており、トラッキング制御を開始する時に常に読み出すようになっている。本実施形態において、光記録媒体に関する基本情報としては、サーボ層の位置、光入射面に最も近い記録再生層の位置、光入射面に最も遠い記録再生層の位置、記録再生層群の層間距離に関するルールを含むようになっている。このように、光記録媒体に関する基本仕様を読み込むことで、光ピックアップ９０側がこの基本仕様に対応できるようにしておけば、第１、第２サーボ層１８、１９や、第１記録再生層１４Ａに対して、各ビーム２７０、１７０を素早くフォーカスさせることができる。
【００８０】
その後、第２サーボ層１９を利用してトラッキングを行いながら、第１記録再生層１４Ａに情報を記録していく。この記録方向は第２スパイラル方向となる。記録完了後は、今回の追記情報（記録に関するアドレス情報、コンテンツ情報等）を第１及び／又は第２サーボ層１８、１９に記録して完了する。なお、第１及び第２サーボ層１８、１９が記録層を有しない場合は、この追記情報を、光入射面１０Ａから最も遠い第１記録再生層１４Ａ、又は光入射面１０Ａに最も近い第６記録再生層１４Ｆに記録して完了することが望ましい。
【００８１】
第１記録再生層１４Ａの全ての領域に対する情報の記録が完了し、次に隣接する第２記録再生層１４Ｂへの記録に移行する場合は、まず、第２光学系２００の赤色波長領域のビーム２７０を第２サーボ層１９から第１サーボ層１８に移行させて、第１スパイラル方向にトラッキングを行う。第１サーボ層１８と第２サーボ層１９の距離が極めて近いことから、速やかに移行することが出来る。
【００８２】
サーボ層の移行と同時に、第１光学系１００のビーム１７０を、第１記録再生層１４Ａから第２記録再生層１４Ｂにフォーカスさせる。第１サーボ層１８を利用してトラッキングを行いながら、第２記録再生層１４Ｂに情報を記録する。この記録方向は、第１記録再生層１４Ａと反対の第１スパイラル方向となる。従って、第１記録再生層１４Ａの記録終了位置と、第２記録再生層１４Ｂの記録開始位置は、半径方向の最も外側又は最も内側のいずれかとなる。従って、移行時には、第１光学系１００のビーム１７０をフォーカス方向に移動させるだけで済むので、記録再生層間においてシーケンシャルな素早い移行が可能となる。第２記録再生層１４Ｂでの記録完了後は、今回の追記情報（記録に関するアドレス情報、コンテンツ情報等）を第１及び／又は第２サーボ層１８、１９に記録して完了する。
【００８３】
第２記録再生層１４Ｂから第３記録再生層１４Ｃに移行する際には、再び、第２サーボ層１９によるトラッキングに移行して第２スパイラル方向に沿って記録していくことになる。これを繰り返して、第６記録再生層１４Ｆまで情報を記録していく。
【００８４】
次に、例えば第２記録再生層１４Ｂに記録された情報を再生する際には、先ず、第２光学系２００のビーム２７０を利用して第１又は第２サーボ層１８、１９のいずれかを再生することで、上述の基本仕様と、記録に基づく追記情報（例えば第２記録再生層１４Ｂに記録したコンテンツ情報等）を読み出す。その後、これらの情報に基づいて、第１光学系１００のビーム１７０を利用して第２記録再生層１４Ｂの所定アドレスにアクセスして再生を行う。この際は、第２記録再生層１４Ｂに既に情報が記録されていることが明らかであるので、その記録マークを利用してトラッキングを行えば良い。従って、第２記録再生層１４Ｂのコンテンツ再生中は、第２光学系２００のビーム２７０は不要とすることができる。第２記録再生層１４Ｂから第３記録再生層１４Ｃに亘って連続的なコンテンツが記録されている場合でも、既に述べたように、シーケンシャルに情報が記録されているので、コンテンツの再生を中断させることなく記録再生層間の移行が可能となる。
【００８５】
なお、図２で示した第２記録媒体２０に対して情報を記録する場合も同様に、例えば、奇数段となる第１、第３記録再生層２４Ａ、２４Ｃへの記録については第２サーボ層２９を利用して第２スパイラル方向にトラッキングを行い、偶数段となる第２、第４記録再生層２４Ｂ、２４Ｄへの記録については、第１サーボ層２８を利用して第１スパイラル方向にトラッキングを行うようにする。
【００８６】
第３記録媒体３０に対して情報を記録する場合も同様に、例えば、奇数段となる第１、第３、第５記録再生層３４Ａ、３４Ｃ、３４Ｅへの記録については第２サーボ層３９を利用して第２スパイラル方向のトラッキングを行い、偶数段となる第２、第４記録再生層３４Ｂ、３４Ｄへの記録については、第１サーボ層３８を利用して第１スパイラル方向のトラッキングを行うようにする。このようにすることで、記録再生層間においてシーケンシャルな記録再生が可能となる。
【００８７】
以上、本実施形態における第１〜第３光記録媒体１０、２０、３０によれば、スパイラル方向の異なる第１サーボ層と第２サーボ層をトラッキング専用層として備えているので、これらを交互に利用すれば、記録再生層群に対して連続的な記録再生を実現できる。この結果、記録再生層群を多層化した場合、特に３層以上に構成した場合であっても、記録再生層間の移行時において中断しない記録再生が可能となる。
【００８８】
更に、第１〜第３光記録媒体１０、２０、３０によれば、記録再生層群に記録済みの情報のスパイラル方向を検出することにより、記録再生層を特定することが可能になる。従って、記録再生対象とする記録再生層が、正しい層であるか否かを、記録済みの情報のスパイラル方向を利用して事前に確認することが好ましい。
【００８９】
また、第１又は第２光記録媒体１０、２０では、第１サーボ層と第２サーボ層が隣接配置されているので、第２光学系２００の球面収差補正範囲を広げなくて済む。この結果、第２光学系２００を複雑に構成しなくても、第１・第２スパイラル方向の双方に高精度なトラッキング制御が可能となる。
【００９０】
また、第１光記録媒体１０では、第１及び第２サーボ層１８、１９が記録再生層群１４よりも奥側、即ち支持基板１２側に配置されているので、射出成形法等によってこれらを効率的に形成することが可能となるので、歩留まりが向上し、製造コストをより一層低減することが可能となる。特に本実施形態では、記録再生層群１４及び中間層群１６が、短い波長光を反射し且つ長い波長光を透過する特性を備えている。従って、赤色等の長い波長を第２光学系２００に採用すれば、これらの記録再生層群１４が手前側に積層されていても、トラッキング制御の精度低下を抑制できる。同様に、トラッキング制御用のビーム２７０が、記録再生層群１４に対する記録再生に悪影響を与えないで済む。
【００９１】
一方、第２光記録媒体２０では、第１及び第２サーボ層２８、２９が記録再生層群２４よりも手前側、即ちカバー層２１側に配置されているので、記録再生層群２４等の厚みむらの影響が無くなり、トラッキング制御を一層、高精度に行うことが可能となる。特にこの第２光記録媒体２０によれば、第１及び第２サーボ層２８、２９が波長選択特性を有しているので、第２光学系２００において赤色等の長い波長のビーム２７０を採用すれば、そのビーム２７０が記録再生層群２４側に進入して反射することを抑制できる。この結果、トラッキング制御及び記録再生精度を高めることができる。なお、第１光学系１００と第２光学系２００が同等の波長領域のビームを用いる場合、第１及び第２サーボ層２８、２９は、記録再生層群２４と同様に、光反射特性と光透過特性を併せ持つようにすれば良い。この際は波長選択特性は不要となる。
【００９２】
更に、本実施形態の光記録再生方法によれば、隣接する記録再生層において、一方は第１サーボ層を利用して第１スパイラル方向に情報を記録し、他方は第２サーボ層を利用して第２スパイラル方向に情報を記録するので、隣接する記録再生層間で連続的な記録再生が可能となり、中断の少ない記録再生を実現できる。なお、本実施形態では、記録再生層群に対して、光入射面側に対して奥側から順番（光入射面から遠い順番）に記録する場合を示したが、勿論、光入射面から近い順番に情報を記録していくようにしても良い。
【００９３】
更に本実施形態では、第１、第２サーボ層のトラッキング用の凹凸のトラックピッチが、記録再生層群に記録予定となるトラックピッチの２倍に設定されている。このようにするとで、サーボ層では、安価となる波長の長い赤色のビーム２７０を採用することによって、ランド及びグルーブの双方を用いたトラッキングを行いつつ、記録再生層群では、１／２のトラックピッチによる記録が可能となる。特にサーボ層側のトラックピッチを０．６４μｍに設定することで、第２光学系２００はＤＶＤ規格の既存製品をほとんどそのまま用いることが出来る。一方で、記録再生層は０．３２μｍのトラックピッチとなるので、第１光学系１００は、ＢＤ規格の既存製品をほとんどそのまま用いることが出来る。即ち、光ピックアップ９０側は新たな開発負担が無く、既存の部品を有効活用できる。
【００９４】
なお、上記実施形態に係る第１〜第３光記録媒体１０〜３０では、支持基板２２の一方側に第１及び第２サーボ層が配置される場合を示したが、本発明はこれに限定されない。
【００９５】
例えば図４に示される第４光記録媒体４０のように、支持基板４２の一方側に第１サーボ層４８が配置され、支持基板４２の他方側に第２サーボ層４９が配置されるようにしても良い。この際、支持基板４２の一方の面には、その中心部近傍から外縁部に向けて第１スパイラル方向となるグルーブおよびランドが螺旋状に形成される。この表面に光反射性の層を形成することで第１サーボ層４８が得られる。また、支持基板４２の他方の面には、その中心部近傍から外縁部に向けて、第１スパイラル方向と反対の第２スパイラル方向となるグルーブおよびランドが螺旋状に形成される。この表面に光反射性の層を形成することで第２サーボ層４９が得られる。結果、第１サーボ層４８は、第１光入射面４０Ａ側に近づくと共に、第２サーボ層４９は、第１光入射面４０Ａと反対側の第２光入射面４０Ｂに近づく。
【００９６】
更に支持基板４２の一方側かつ第１サーボ層４８よりも第１光入射面４０Ａ側には、第１スペーサ層４３Ａを介して第１記録再生層群４４が配置される。また、支持基板４２の他方側かつ第２サーボ層４９よりも第２光入射面４０Ｂ側には、第２スペーサ層４３Ｂを介して第２記録再生層群４５が配置される。第１記録再生層群４４の間には第１中間層群４６が配置され、第２記録再生層群４５の間には第２中間層群４７が配置される。
【００９７】
第１光記録再生層群４４の第１光入射面４０Ａ側には第１カバー層４１Ａが配置され、第２光記録再生層群４５の第１光入射面４０Ｂ側には第１カバー層４１Ｂが形成される。
【００９８】
この第４光記録媒体４０では、第１サーボ層４８を利用してトラッキング制御を行いながら、第１記録再生層群４４の各記録再生層４４Ａ〜４４Ｄに対して情報の記録・再生が行われる。また、第２サーボ層４９を利用してトラッキング制御を行いながら、第２記録再生層群４５の各記録再生層４５Ａ〜４５Ｄに対して情報の記録・再生が行われる。具体的には、赤色波長領域（長い波長）の第１ビーム２７０Ａを第１光入射面４０Ａ側から第１サーボ層４８に照射してトラッキングを実現し、このトラッキング制御を利用しながら、青色波長領域（短い波長）の第１ビーム１７０Ａを第１光入射面４０Ａ側から第１記録再生層群４４に照射して記録・再生を実現する。更に、赤色波長領域（長い波長）の第２ビーム２７０Ｂを第２光入射面４０Ｂ側から第２サーボ層４９に照射してトラッキングを実現し、このトラッキング制御を利用しながら、青色波長領域（短い波長）の第２ビーム１７０Ｂを第２光入射面４０Ｂ側から第２記録再生層群４５に照射して記録・再生を実現する。勿論、トラッキング用の第１ビーム２７０Ａを、支持基板４２を介して第２サーボ層４９に照射し、この第２サーボ層４９を利用して第１記録再生層群４４の記録・再生を行うことも可能である。また、トラッキング用の第２ビーム２７０Ｂを支持基板４２を介して第１サーボ層４８に照射して、この第１サーボ層４８を利用して第２記録再生層群４５の記録・再生を行うことも可能である。
【００９９】
この第４光記録媒体では、サーボ層４８、４９及び記録再生層群４４、４５を、支持基板４２の両側にそれぞれ配置しているので、記録再生層の積層数を増大させることが可能になる。更に製作時に生じる内部応力が支持基板４２の両側に分散するので、第４光記録媒体４０の反りや変形を抑制することも可能になる。
【０１００】
なお、この第４光記録媒体４０は、支持基板４２の両側に記録再生層群４４、４５を配置する場合を示したが、例えば図５に示される第５光記録媒体５０のように、第１、第２サーボ層５８、５９を支持基板５２の両側に配置する一方、記録再生層群５４は第１サーボ層５８側のみに配置するようにしてもよい。この場合、第２サーボ層５９の表面側には第２カバー層５１Ｂを直接配置する。記録再生層群５４に記録・再生を行う際は、第１、第２サーボ層５８、５９に対して共通のビーム２７０を照射してトラッキング制御を行うことが好ましい。
【０１０１】
なお、本実施形態の光記録媒体では、記録再生層群の積層数が４〜６層となる場合に限って示したが、本発明はこれに限定されない。同様に、記録再生層の層間距離が、第１距離と第２距離が交互に設定される場合に限って示したが、これらに限定されず、３種類以上の層間距離を適宜設定することも可能である。
【０１０２】
更に本実施形態では、光ピックアップ９０側が、波長の異なる赤色と青色のビームを利用する場合に限って示したが、本発明はこれに限定されず、同じ波長のビームを用いることも可能である。また、記録再生層群に対して、積層順にスパイラル方向が交互になるように情報を記録していく場合に限って示したが、必ずしも交互である必要は無い。
【産業上の利用可能性】
【０１０３】
本発明の光記録媒体、光記録再生方法は、サーボ層と記録再生層を有する各種光記録媒体に適用することができる。
【符号の説明】
【０１０４】
１０              第１記録媒体
１１、２１、３１  カバー層
１２、２２、３２  支持基板
１４、２４、３４  記録再生層群
１６、２６、３６  中間層群
１８、２８、３８、４８、５８  第１サーボ層
１９、２９、３９、４９、５９  第２サーボ層
２０              第２記録媒体
３０              第３記録媒体
４０              第４記録媒体
５０              第５記録媒体
９０              光ピックアップ
【図１】
2011192377.tif 000003
【図２】
2011192377.tif 000004
【図３】
2011192377.tif 000005
【図４】
2011192377.tif 000006
【図５】
2011192377.tif 000007